(57)【要約】【課題】表示側ケースが操作側ケースに対して短手方向にスライドするとともに斜めに開けられる携帯式電子装置を提供すること。【解決手段】本発明に係る携帯式電子装置は、操作側ケースと、表示側ケースと、回転支持部材と、弾性板状体と、を備える。前記表示側ケースにおける前記操作側ケースと対面する表面には、２つの止め部が間隔をあけて突設されており、前記弾性板状体の自由端は前記２つの止め部の間に当止される。前記表示側ケースを前記操作側ケースに対してスライドする過程において、前記弾性板状体は前記２つの止め部の間でスライドすると共に圧縮されて変形する。前記弾性板状体は、前記２つの止め部の中間位置を滑り越えると、弾発力を解放して前記回転支持部材を前記操作側ケースに対して自動的に回転させる。従って、前記表示側ケースは、前記回転支持部材に支持されて、前記操作側ケースに対して傾くように立ち上がる。【選択図】図４
2011146025.tif 000002
【特許請求の範囲】
【請求項１】
操作側ケースと、
前記操作側ケースに重ね合わせられ且つ前記操作側ケースに対してスライドできる表示側ケースと、
両端がそれぞれ前記操作側ケース及び前記表示側ケースに枢着される回転支持部材と、
一端が前記回転支持部材上に固定され、他端が前記表示側ケースの背面にスライド可能に当止される弾性板状体と、
を備えてなる携帯式電子装置において、
前記表示側ケースにおける前記操作側ケースと対面する表面には、２つの止め部が間隔をあけて突設されており、前記弾性板状体の自由端が前記２つの止め部の間に当止され、
前記表示側ケースを前記操作側ケースに対してスライドする過程において、前記弾性板状体が前記２つの止め部の間でスライドすると共に圧縮されて変形し、
前記弾性板状体が、前記２つの止め部の中間位置を滑り越えると、弾発力を解放して前記回転支持部材を前記操作側ケースに対して自動的に回転させ、
従って、前記表示側ケースは、前記回転支持部材に支持されて、前記操作側ケースに対して傾くように立ち上がることを特徴とする携帯式電子装置。
【請求項２】
前記表示側ケースにおける前記操作側ケースと対面する表面には、スライドガイド部が開設されており、前記弾性板状体の一端が前記スライドガイド部内にスライド可能に設置されることを特徴とする請求項１に記載の携帯式電子装置。
【請求項３】
前記携帯式電子装置が従動ロッドをさらに含み、前記従動ロッドの両端がそれぞれ前記操作側ケースと前記表示側ケースとに枢着されることを特徴とする請求項１に記載の携帯式電子装置。
【請求項４】
前記操作側ケース上には第一取付凹所が設けられ、前記表示側ケース上には第一収容スロットが設けられ、
前記回転支持部材の両端が、それぞれ前記第一取付凹所及び第一収容スロット内に固定されることを特徴とする請求項１に記載の携帯式電子装置。
【請求項５】
前記回転支持部材が１つの主体板及び２つの支持アームを含み、前記主体板の底部には第一固定部が突設されており、前記支持アームの両側には第二固定部が突設されており、
前記第一固定部により前記主体板が前記操作側ケースに枢着され、前記第二固定部により前記支持アームが表示側ケースに枢着されることを特徴とする請求項４に記載の携帯式電子装置。
【請求項６】
前記第一取付凹所が前記操作側ケースの長手方向に沿って間隔をあけて開設され、且つその相対する側壁にはそれぞれ第一係止スロットが開設されており、
前記回転支持部材の第一固定部が回転軸を介して、前記第一係止スロット内に回転可能に枢着されることを特徴とする請求項５に記載の携帯式電子装置。
【請求項７】
前記回転支持部材の第二固定部上には第二軸穴を有し、前記第一収容スロットの側壁上には第一チャンネルが設けられ、
前記第二軸穴と第一チャンネル内に回転軸を装着することにより前記回転支持部材の支持アームを表示側ケースに枢着することを特徴とする請求項５に記載の携帯式電子装置。
【発明の詳細な説明】
【技術分野】
【０００１】
本発明は電子装置に関し、特に表示側ケースが操作側ケースに対して短手方向にスライドするとともに斜めに開けられる携帯式電子装置に関するものである。
【背景技術】
【０００２】
現在市販されている携帯電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体は下筐体の長手方向に沿って直線的にスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
また、最近、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式や縦方向スライド式以外の新しい開閉機構を備えた携帯電子装置が望まれている。
【０００５】
以上の問題点に鑑みて、本発明の目的は、表示側ケースが操作側ケースに対して短手方向にスライドするとともに斜めに開けられる携帯式電子装置を提供することにある。
【課題を解決するための手段】
【０００６】
前記問題を解決するために、本発明に係る携帯式電子装置は、操作側ケースと、前記操作側ケースに重ね合わせられ且つ前記操作側ケースに対してスライドできる表示側ケースと、両端がそれぞれ前記操作側ケース及び前記表示側ケースに枢着される回転支持部材と、一端が前記回転支持部材上に固定され、他端が前記表示側ケースの背面にスライド可能に当止される弾性板状体と、を備える。前記表示側ケースにおける前記操作側ケースと対面する表面には、２つの止め部が間隔をあけて突設されており、前記弾性板状体の自由端が前記２つの止め部の間に当止される。前記表示側ケースを前記操作側ケースに対してスライドする過程において、前記弾性板状体は前記２つの止め部の間でスライドすると共に圧縮されて変形する。前記弾性板状体は、前記２つの止め部の中間位置を滑り越えると、弾発力を解放して前記回転支持部材を前記操作側ケースに対して自動的に回転させ、従って、前記表示側ケースが、前記回転支持部材に支持されて、前記操作側ケースに対して傾くように立ち上がる。
【発明の効果】
【０００７】
従来の技術と比べて、本発明に係る携帯式電子装置の表示側ケースは、操作側ケースに対して斜めに開けることができるので、前記携帯式電子装置を開けた後、その表示スクリーンとそのキーボード部との間は、所望の傾斜角度を呈する。従って、前記携帯式電子装置は、ユーザーに所望の視覚角度を与えられ、使い勝手が向上する。
【図面の簡単な説明】
【０００８】
【図１】本発明の実施形態に係る携帯式電子装置の立体分解図である。
【図２】図１に示す携帯式電子装置の表示側ケースの下部ケースにおける前記操作側ケース側とは反対側の表面を示す拡大図である。
【図３】図１に示す携帯式電子装置が一体に組み立てられた後の閉じられた状態での斜視図である。
【図４】図３に示す携帯式電子装置の開いた状態を背面側から見た斜視図である。
【図５】図４に示す携帯式電子装置の表示側ケースが取り外された状態を示す図である。
【図６】図４に示す携帯式電子装置の操作側ケースが取り外された状態を示す図である。
【発明を実施するための形態】
【０００９】
本発明に係る携帯式電子装置は、携帯電話、個人用携帯情報端末（ＰＤＡ）、パソコンなどとすることができ、本実施形態では携帯電話を例として説明する。
【００１０】
図１に示すように、本発明の携帯電話１００は、操作側ケース１０と、前記操作側ケース１０上に重ね合わされて覆う表示側ケース２０と、回転支持部材３０と、従動ロッド４０と、弾性板状体５０と、複数の取り付け用の回転軸６０と、を備える。前記回転支持部材３０及び前記従動ロッド４０は、前記表示側ケース２０と前記操作側ケース１０との間に取付けられる。前記弾性板状体５０の一端は、前記回転支持部材３０に固定され、前記弾性板状体５０の他端は、前記表示側ケース２０に当止される。
【００１１】
前記操作側ケース１０は、ベース部材１２及び前記ベース部材１２上に被覆されるカバー部材１４を含む。
【００１２】
前記ベース部材１２は、前記表示側ケース２０と対面する上面１２２を有し、前記上面１２２には、２つの第一取付凹所１２４及び１つの第二取付凹所１２６が開設されている。前記２つの第一取付凹所１２４は、前記ベース部材１２の長手方向の片側（長手方向に対する左右方向の一方側）に互いに離間して設置される。各第一取付凹所１２４の相対向する２つの側壁には、それぞれ前記回転支持部材３０を枢着するための１つの第一係止スロット１２４２が開設されている。前記第一係止スロット１２４２は、前記操作側ケース１０の上面１２２に連通する。前記第二取付凹所１２６は、前記ベース部材１２の短手方向の片側（短手方向に対する左右方向の一方側）に設置され、且つ前記第二取付凹所１２６の相対向する２つの側壁からそれぞれ突出部１２６２が向き合うように突出され、各突出部１２６２には、前記従動ロッド４０を枢着するための第二係止スロット１２６４が設けられている。前記第二係止スロット１２６４は、前記操作側ケース１０の上面１２２に連通する。
【００１３】
前記カバー部材１４には、２つの切り欠き部１４２、１つの貫通溝１４４、２つの滑り止め部１４６及び複数の押しボタン１４８が設置されている。前記切り欠き部１４２は、前記カバー部材１４の１つの長辺と直交して前記長辺を貫通するように設けられている。前記貫通溝１４４は、前記カバー部材１４の短手方向の片側に開設されている。前記２つの滑り止め部１４６は、前記カバー部材１４の中部において互いに離間して設置され且つ両者の連接線は前記カバー部材１４の長辺に平行であり、前記表示側ケース２０の前記操作側ケース１０に対するスライドを制限することに用いられる。前記押しボタン１４８は、前記カバー部材１４のもう１つの長辺に隣接して設置される。
【００１４】
前記表示側ケース２０は、下部ケース２２及び前記下部ケース２２上に被覆される上部ケース２４を含む。前記上部ケース２４の上面には、表示スクリーン２４２が実装されている。図２を参照すると、前記下部ケース２２における前記操作側ケース１０側とは反対側の表面には、前記回転支持部材３０を部分的に収納するための２つの第一収容スロット２２２と、前記従動ロッド４０の一端を収納するための第二収容スロット２２４と、前記回転軸６０を装着するための複数の軸ガイド溝２２６と、が設置されている。また、前記下部ケース２２における前記操作側ケース１０と対面する表面には、２つの止め部２２８（図６を参照）が設けられている。前記２つの止め部２２８は、前記下部ケース２２の長辺に平行な条状突出部であり、前記弾性板状体５０を異なる部位に位置決めするために用いられる。
【００１５】
前記２つの第一収容スロット２２２は、前記下部ケース２２の短手方向の両側に対称的に設けられる。各第一収容スロット２２２の２つの対向する側壁には、前記回転支持部材３０を枢着するための２つの第一チャンネル２２２２が同軸線上に設けられている。前記第二収容スロット２２４は、前記１つの第一収容スロット２２２に隣接して開設され、前記第二収容スロット２２４の対向する２つの側壁には、前記従動ロッド４０を枢着するための２つの第二チャンネル２２４２が同軸線上に設けられている。前記軸ガイド溝２２６は、それぞれ前記２つの第一チャンネル２２２２及び前記２つの第二チャンネル２２４２と同一直線上に位置するように設けられている。
【００１６】
前記回転支持部材３０は、略「Ｕ」型を呈し、主体板３２及び２つの支持アーム３４を含む。前記２つの支持アーム３４は、前記主体板３２の両端から折り曲げられて延在する。前記主体板３２には、前記弾性板状体５０を固定するための複数の取付用孔３２２が開設されている。また、前記主体板３２における前記支持アーム３４側から背離する片側には前記操作側ケース１０の第一取付凹所１２４に枢着する第一固定部３２４が突設されている。各第一固定部３２４の端部には、左右貫通する２つの第一軸穴３２４２が開設されている。各支持アーム３４の端部には、前記表示側ケース２０の第一収容スロット２２２に枢着する第二固定部３４２が延在している。各第二固定部３４２の端部には、左右貫通する第二軸穴３４２２が開設されている。
【００１７】
前記従動ロッド４０の両端はそれぞれ折り曲げられて、第三軸穴４２２を有する枢着端４２を形成する。前記第三軸穴４２２内に回転軸６０を挿入することにより、前記従動ロッド４０の両端をそれぞれ前記操作側ケース１０の第二係止スロット１２６４と前記表示側ケース２０の第二チャンネル２２４２に枢着する。
【００１８】
前記弾性板状体５０の一端には、前記回転支持部材３０の取付用孔３２２に対応する複数の貫通穴５２が設けられている。前記貫通穴５２と前記取付用孔３２２内にネジなどを挿入することにより、前記弾性板状体５０を前記回転支持部材３０に固定する。本実施形態において、前記弾性板状体５０は略矩形の弾性片である。
【００１９】
以下、図１〜図４を一緒に参照しながら、本発明の携帯電話１００の組立ステップについて詳細に説明する。
【００２０】
まず、前記弾性板状体５０の貫通穴５２と前記回転支持部材３０の取付用孔３２２とを位置合せしてから、ネジ等で前記弾性板状体５０を前記回転支持部材３０に取り付ける。続いて、前記回転支持部材３０の各第一固定部３２４の第一軸穴３２４２内に回転軸６０を装入すると共に、前記従動ロッド４０の１つの枢着端４２にも回転軸６０を装入する。
【００２１】
次に、前記従動ロッド４０の回転軸６０が装着された一端を前記ベース部材１２の第二取付凹所１２６内に設置して、前記回転軸６０の両端をそれぞれ前記第二係止スロット１２６４内に係止する。続いて、前記回転支持部材３０の２つの第一固定部３２４をそれぞれ前記ベース部材１２の第一取付凹所１２４内に収納して、前記第一固定部３２４の回転軸６０の両端をそれぞれ前記第一係止スロット１２４２内に係止する。その後、前記カバー部材１４の貫通溝１４４を前記従動ロッド４０に貫通させるように前記カバー部材１４を前記ベース部材１２上に覆う。それから、前記カバー部材１４を移動して、前記回転支持部材３０の第一固定部３２４を前記カバー部材１４の切り欠き部１４２内に係合する。このように、前記回転支持部材３０の第一固定部３２４及び前記従動ロッド４０の一端を前記操作側ケース１０に枢着した。
【００２２】
最後に、前記下部ケース２２の止め部２２８を有する一面を前記操作側ケース１０に向けて設置し、前記回転支持部材３０の弾性板状体５０を前記２つの止め部２２８の間に位置させる。続いて、各支持アーム３４の第二固定部３４２を前記下部ケース２２の第一収容スロット２２２内に設置して、前記２つの第二軸穴３４２２と前記２つの第一チャンネル２２２２とを位置合せしてから、前記軸ガイド溝２２６を介してその中に前記回転軸６０を挿入して、前記２つの支持アーム３４をそれぞれ前記下部ケース２２の両側に枢着する。その後、前記従動ロッド４０のもう１つの枢着端４２を前記下部ケース２２の第二収容スロット２２４内に設置して、前記第三軸穴４２２と前記第二チャンネル２２４２とを位置合せしてから、前記軸ガイド溝２２６を介してその中に前記回転軸６０を挿入して、前記枢着端４２を前記下部ケース２２の片側に枢着する。それから、前記上部ケース２４を前記下部ケース２２上に被覆すると、前記携帯電話１００の組立が終わる。
【００２３】
図３〜図６を参照すると、前記携帯電話１００を閉じた後、前記表示側ケース２０は前記操作側ケース１０上に重ね合せて被覆される。前記回転支持部材３０の第二固定部３４２は前記表示側ケース２０の第一収容スロット２２２内に収納され、前記従動ロッド４０は前記表示側ケース２０の第二収容スロット２２４内に収納され、前記弾性板状体５０は前記表示側ケース２０の１つの止め部２２８に当止される。
【００２４】
図４乃至図６に示されたように、前記携帯電話１００を開ける場合、前記押しボタン１４８が設置された一端から前記表示側ケース２０を前記操作側ケース１０に対して推進すると、前記回転支持部材３０の第一固定部３２４は前記回転軸６０を巡って前記操作側ケース１０に対し相対的に回転すると共に、前記従動ロッド４０の前記操作側ケース１０に連結される一端を連動して回転する。これに伴って、前記回転支持部材３０の第二固定部３４２及び前記従動ロッド４０の前記表示側ケース２０に連結される一端はそれぞれ回転軸６０を巡って前記表示側ケース２０に対し相対的に回転する。前記回転支持部材３０及び前記従動ロッド４０の回転につれて、前記表示側ケース２０は操作側ケース１０に対して次第に斜めに開けられる。
【００２５】
上記の過程において、前記弾性板状体５０における前記回転支持部材３０に連結されていない自由端は、前記表示側ケース２０の２つの止め部２２８の間でスライドして、前記弾性板状体５０が圧縮されて変形して弾発力を蓄積する。ここで、前記２つの止め部２２８の中間位置を「予定位置」と定義する。前記弾性板状体５０の自由端が前記予定位置までスライドすると、蓄積された弾発力は一番大きくなる。続けて前記表示側ケース２０を推進すると、前記弾性板状体５０は前記予定位置を滑り越えて弾発力を解放して、前記表示側ケース２０の一端が前記操作側ケース１０の滑り止め部１４６に当止されるまで、前記回転支持部材３０と前記従動ロッド４０を誘導して自然に回転させる。前記弾性板状体５０の自由端が前記表示側ケース２０のもう１つの止め部２２８に当止されると、前記表示側ケース２０は前記操作側ケース１０に対して好ましい傾斜角度に位置決めされる。
【００２６】
前記携帯電話１００を閉じる場合の作動原理は、前記携帯電話１００を開ける場合とちょうど相反するから、ここで具体的な説明を省略する。
【００２７】
本発明に係る携帯電話１００において、前記操作側ケース１０に対して前記表示側ケース２０を推進すると、前記回転支持部材３０はその第一固定部３２４の回転軸６０を巡って前記操作側ケース１０に対し相対的に回転するすると共に、前記従動ロッド４０を連動して前記操作側ケース１０に対し相対的に回転させる。このように、前記表示側ケース２０は、前記回転支持部材３０及び前記従動ロッド４０に支持されて前記操作側ケース１０に対して次第に斜めに開放される。この過程において、前記弾性板状体５０は弾発力を蓄積するようになる。前記表示側ケース２０を所定の距離ほどスライドさせると、前記弾性板状体５０が弾発力を解放して、前記表示側ケース２０を自動的に開放させる。
【００２８】
また、前記携帯電話１００の表示側ケース２０は操作側ケース１０に対して完全に閉じられる又は開けられる状態において、前記弾性板状体５０を一定のプリー圧縮力を持たせるのが好ましい。これにより、前記携帯電話１００を開成状態又は閉成状態に安定して維持する。
【００２９】
なお、前記下部ケース２２における前記操作側ケース１０と対面する表面の中部に設置された止め部２２８は省略してもよい。その代わりに、ガイド溝を開設して前記弾性板状体５０を案内し、且つ前記ガイド溝の両端により、前記弾性板状体５０を異なる位置に限定する。
【００３０】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであることはいうまでもない。
【符号の説明】
【００３１】
１０        操作側ケース
１２        ベース部材
１４        カバー部材
２０        表示側ケース
２２        下部ケース
２４        上部ケース
３０        回転支持部材
３２        主体板
３４        支持アーム
４０        従動ロッド
４２        枢着端
５０        弾性板状体
５２        貫通穴
６０        回転軸
１２２      上面
１２４      第一取付凹所
１２６      第二取付凹所
１４２      切り欠き部
１４４      貫通溝
１４６      滑り止め部
１４８      押しボタン
２２２      第一収容スロット
２２４      第二収容スロット
２２６      軸ガイド溝
２２８      止め部
３２２      取付用孔
３２４      第一固定部
３４２      第二固定部
４２２      第三軸穴
１２４２    第一係止スロット
１２６２    突出部
１２６４    第二係止スロット
２２２２    第一チャンネル
２２４２    第二チャンネル
３２４２    第一軸穴
３４２２    第二軸穴
【図１】
2011146025.tif 000003
【図２】
2011146025.tif 000004
【図３】
2011146025.tif 000005
【図４】
2011146025.tif 000006
【図５】
2011146025.tif 000007
【図６】
2011146025.tif 000008